(57)【要約】本発明の課題はマイルド性を維持しつつ、泡立ち速度に優れ、すすぎ時のひっかかり感の無さとツルツル感を併せ持ち、なおかつ乾燥後のしっとり感を有する洗浄剤組成物を提供することにある。  本発明の解決手段はＮ−長鎖アシルアミノ酸及び／又はその塩（Ａ成分）から選ばれる１種以上と、水溶性有機酸亜鉛塩（Ｂ成分）から選ばれる１種以上を併用することにより、マイルド性を維持しつつ、泡立ち速度に優れ、すすぎ時のひっかかり感の無さとツルツル感を併せ持ち、なおかつ乾燥後のしっとり感を有する洗浄剤組成物を提供することができた。【特許請求の範囲】
【請求項１】
Ｎ−長鎖アシルアミノ酸及び／又はその塩（Ａ成分）から選ばれる１種または２種以上と水に対して２５℃で１〜６０重量％の飽和溶解度を有する水溶性有機酸亜鉛塩（Ｂ成分）から選ばれる１種または２種以上を含有することを特徴とする洗浄剤組成物。
【請求項２】
（Ａ成分）のアミノ酸が酸性アミノ酸、中性アミノ酸、ヒドロキシアミノ酸のいずれかから選ばれる１種または２種以上であることを特徴とする請求項１記載の洗浄剤組成物。
【請求項３】
（Ｂ成分）がピロリドンカルボン酸亜鉛、グルコン酸亜鉛、乳酸亜鉛、スルホ石炭酸亜鉛のいずれかから選ばれる１種または２種以上であることを特徴とする請求項１〜２のいずれかに記載の洗浄剤組成物。
【請求項４】
更に両性界面活性剤（Ｃ成分）から選ばれる１種または２種以上を含有することを特徴とする請求項１〜３のいずれかに記載の洗浄剤組成物。
【発明の詳細な説明】
【技術分野】
【０００１】
本発明は、Ｎ−長鎖アシルアミノ酸及び／又はその塩と水に対して２５℃で１〜６０重量％の飽和溶解度を有する水溶性有機酸亜鉛塩を含有する洗浄剤組成物、更に両性界面活性剤を含有する洗浄剤組成物、これら洗浄剤組成物を含有する化粧料、に関する。
【背景技術】
【０００２】
従来より、シャンプー、ボディーシャンプー、石鹸などの洗浄剤組成物には、主成分としてアニオン性界面活性剤が用いられている。その中でもＮ−長鎖アシルアミノ酸及び／又はその塩は、皮膚や毛髪に対しての刺激が低い為、そのマイルド性の高さを特徴とした洗浄剤組成物への使用が提案されている。しかしながら、洗浄成分としてＮ−長鎖アシルアミノ酸及び／又はその塩を用いた場合、使用時、泡立ちが悪い、泡が粗い、あるいはすすぎ時のぬめり感、きしみ感といった問題点があった。
上記問題点を解決する手段として、アニオン性、非イオン性、両性界面活性剤と、水不溶性Ｃ１４〜Ｃ２２脂肪酸塩を併用することにより（必要に応じカチオン性または非イオン性ポリマー皮膚コンディショニング剤を含む）、マイルドでありながら、起泡力が高く、優れたすすぎ特性、皮膚感覚、保湿性を持つクレンジング組成物が開示されている（特許文献１：特表平１０−５１２２５４号公報）。しかしながら、この例では泡量は多いものの、泡立ちの速度が遅く、また、すすぎ時のひっかかり感やきしみ感について必ずしも満足いくものではなかった。
また、アシルアミノ酸に両性界面活性剤を添加することにより、良好な起泡力、泡の感触（滑らかさ、クリーミー感）を達成している（特許文献２：特開平１０−２３１４９８号公報）。しかしこの例では起泡力や泡の感触等は改善がされたものの、まだ泡のボリュームや泡のキメ細かさ、乾燥後のしっとり感などの面では十分ではなかった。
【特許文献１】特表平１０−５１２２５４号公報
【特許文献２】特開平１０−２３１４９８号公報
【発明の開示】
【発明が解決しようとする課題】
【０００３】
本発明の目的は、Ｎ−長鎖アシルアミノ酸及び／又はその塩のマイルド性を維持しつつ、泡立ち速度に優れ、すすぎ時のひっかかり感の無さとツルツル感を併せ持ち、なおかつ乾燥後のしっとり感を有する洗浄剤組成物を提供することである。
【課題を解決するための手段】
【０００４】
本発明者らは、かかる現状に鑑み鋭意研究した結果、洗浄剤組成物において、Ｎ−長鎖アシルアミノ酸及び／又はその塩（Ａ成分）から選ばれる１種以上と、水に対して２５℃で１〜６０重量％の飽和溶解度を有する水溶性有機酸亜鉛塩（Ｂ成分）から選ばれる１種以上を併用することにより、上記目的が達成されることを見出し、本発明を完成した。
即ち、本発明は以下の態様を含む。
〔１〕Ｎ−長鎖アシルアミノ酸及び／又はその塩（Ａ成分）から選ばれる１種または２種以上と水に対して２５℃で１〜６０重量％の飽和溶解度を有する水溶性有機酸亜鉛塩（Ｂ成分）から選ばれる１種または２種以上を含有することを特徴とする洗浄剤組成物。
〔２〕（Ａ成分）のアミノ酸が酸性アミノ酸、中性アミノ酸、ヒドロキシアミノ酸のいずれかから選ばれる１種または２種以上であることを特徴とする〔１〕記載の洗浄剤組成物。
〔３〕（Ｂ成分）がピロリドンカルボン酸亜鉛、グルコン酸亜鉛、乳酸亜鉛、スルホ石炭酸亜鉛のいずれかから選ばれる１種または２種以上であることを特徴とする〔１〕〜〔２〕のいずれかに記載の洗浄剤組成物。
〔４〕更に両性界面活性剤（Ｃ成分）から選ばれる１種または２種以上を含有することを特徴とする〔１〕〜〔３〕のいずれかに記載の洗浄剤組成物。
【発明の効果】
【０００５】
本発明の洗浄剤組成物は、Ｎ−長鎖アシルアミノ酸及び／又はその塩のマイルド性を維持しつつ、泡立ち速度に優れ、すすぎ時のひっかかり感の無さとツルツル感を併せ持ち、なおかつ乾燥後のしっとり感を有しており、極めて有用である。
【発明を実施するための最良の形態】
【０００６】
以下、本発明を詳細に説明する。
本発明における（Ａ成分）のＮ−長鎖アシルアミノ酸及び／又はその塩の長鎖アシル基としては、通常、炭素原子数８〜２２の直鎖又は分岐鎖の飽和又は不飽和の脂肪酸から誘導されるものが使用される。具体的には、カプリン酸、ラウリン酸、ミリスチン酸、パルミチン酸、ステアリン酸、ベヘニン酸、リノール酸、リノレイン酸、オレイン酸、イソステアリン酸、２−エチルヘキサン酸、ヤシ油脂肪酸、牛脂油脂脂肪酸、硬化牛脂油脂肪酸等から誘導することのできるアシル基を挙げることができる。炭素原子数が８未満の場合は、界面活性が低下してしまい、逆に２２を越える場合は水への溶解性が低下しすぎて目的とする効果が発揮されない。適度な水溶解性と、優れた洗浄性、起泡力を得る等の観点から、カプリン酸、ラウリン酸、ミリスチン酸、パルミチン酸、ステアリン酸、ベヘニン酸、ヤシ油脂肪酸、硬化牛脂油脂肪酸から誘導されるアシル基が好ましく、ラウリン酸、ミリスチン酸、パルミチン酸、ステアリン酸から誘導されるアシル基がさらに好ましい。これらは単独で使用しても良く、または２種以上を混合して使用しても良い。
本発明における（Ａ成分）のＮ−長鎖アシルアミノ酸及び／又はその塩のアミノ酸としては、特に制限はなく、天然型アミノ酸と、非天然型アミノ酸を使用することができる。天然型アミノ酸としては、具体的には、グリシン、アラニン、バリン、ロイシン、イソロイシン、フェニルアラニン、メチオニン、トリプトファン、システイン、アスパラギン、グルタミン、チロシン、プロリン、等の中性アミノ酸、アスパラギン酸、グルタミン酸、等の酸性アミノ酸、セリン、スレオニン等のヒドロキシアミノ酸が挙げられる。また、非天然型アミノ酸としては、具体的には、β−アラニン、Ｎ−メチルβアラニン、アミノ酪酸、ザルコシン、等が挙げられる。これらは単独で使用しても良く、または２種以上を混合して使用しても良い。水溶性がよく、汎用性があり、使用感が良いという観点から、グリシン、アラニン、ザルコシン、Ｎ−メチルβアラニン、スレオニン、グルタミン酸が好ましく、グリシン、アラニン、スレオニンが更に好ましく、グリシン、アラニンが特に好ましい。
本発明における（Ａ成分）のＮ−長鎖アシルアミノ酸及び／又はその塩における塩としては、アルカリ性を呈するものであれば特に制限はない。具体的には、ナトリウム、カリウム等のアルカリ金属；マグネシウム等のアルカリ土類金属；モノエタノールアミン、ジエタノールアミン、トリエタノールアミン等の有機アミン；アルギニン、ヒスチジン、リジン、オルニチン、等の塩基性アミノ酸、等が挙げられる。これらは単独で使用しても良く、または２種以上を混合して使用しても良い。形態安定性があり、溶解性もよく、汎用性があるという観点から、アルカリ金属、有機アミン、塩基性アミノ酸が好ましく、アルカリ金属が更に好ましく、ナトリウムやカリウムが特に好ましい。
本発明における（Ａ成分）のＮ−長鎖アシルアミノ酸及び／又はその塩を得るための製造方法としては、特に制限はなく、常法により製造することができる。例えば、アミノ酸と長鎖脂肪酸ハライドと水溶媒中、アルカリの存在下で反応させるショッテンバウマン法が挙げられる。
本発明における（Ａ成分）のＮ−長鎖アシルアミノ酸及び／又はその塩の形態は特に制限されず、一般的には固体状（粉状、フレーク状）、水溶液、アルコール水混合液などが用いられる。
本発明における（Ｂ成分）の水溶性有機酸亜鉛塩は、水溶性が求められ、具体的には、水に対して２５℃で１〜６０重量％の飽和溶解度（精製水に対する２５℃での飽和溶解度）が求められる。１重量％よりも低いと泡のクリーミー感とすすぎ時のツルツル感を発揮しにくくなり、６０重量％より高い溶解性ではすすぎ時に流れ去ってしまいうる。乾燥後のしっとり効果を明確に発揮しうるという観点で、飽和溶解度下限値は２重量％が好ましく、３重量％がより好ましく、５重量％が更に好ましく、７重量％が殊更好ましく、９重量％が特に好ましい。すすぎ後も皮膚へ程よく残留し乾燥後のしっとり効果を持続できるという観点で、飽和溶解度上限値は５０重量％が好ましく、４０重量％がより好ましく、３０重量％が更に好ましく、２０重量％が殊更好ましく、１５重量％が特に好ましい。具体的な水溶性有機酸亜鉛塩としては、ピロリドンカルボン酸亜鉛（飽和溶解度：１３重量％／２５℃）、グルコン酸亜鉛（飽和溶解度：１１重量％／２５℃）、乳酸亜鉛（飽和溶解度：３重量％／２５℃）、スルホ石炭酸亜鉛（飽和溶解度：５０重量％／２５℃）、クエン酸亜鉛（飽和溶解度：３重量％／２５℃）、酢酸亜鉛（飽和溶解度：２９重量％／２５℃）等が挙げられる。これらは単独で使用しても良く、または２種以上を混合して使用しても良い。水溶性が良好で調製しやすく、汎用的に使用される等の観点で、ピロリドンカルボン酸亜鉛、グルコン酸亜鉛、乳酸亜鉛、スルホ石炭酸亜鉛、が好ましく、ピロリドンカルボン酸亜鉛、グルコン酸亜鉛、スルホ石炭酸亜鉛、が更に好ましく、ピロリドンカルボン酸亜鉛、グルコン酸亜鉛、が殊更好ましい。保湿感の向上や好感触の付与、洗浄剤形態の保存安定などの観点から、ピロリドンカルボン酸亜鉛が特に好ましい。
本発明における（Ａ成分）と（Ｂ成分）の配合割合は、目的とする製品によって適宜決定され、本発明の効果を発揮しうる限り特に限定されるものではないが、重量比でＡ／Ｂは３００／１〜１／５の範囲で選ばれることが好ましい。３００／１より多いと、泡立ち速度の向上や、すすぎ時のひっかかりの無さとツルツル感等の効果が得られない場合があり、１／５より少ないと、不溶解分によりダマや沈殿が生じたり、洗浄剤組成物が固化し使用性が低下する場合がある。泡立ち速度の向上や良好な感触が得られ、洗浄剤として適した形状および粘性を維持する観点で、２００／１〜１／３がより好ましく、１００／１〜２／１が更に好ましく、５０／１〜２／１が特に好ましい。
本発明における（Ａ成分）と（Ｂ成分）の合計の含有量は、目的とする製品によって適宜決定され、本発明の効果を発揮しうる限り特に限定されるものではないが、組成物全体に対して、２〜９５重量％の範囲で選ばれることが好ましい。２重量％未満では効果が現れにくい場合もあり、９５重量％を超えると成分の析出が見られる場合もある。泡立ち速度の向上と良好な感触が得られるという観点で、３〜９０重量％がより好ましく、４〜８０重量％がより更に好ましく、５〜７０重量％が更に一層好ましく、６〜６０重量％が殊更好ましく、７〜５０重量％が特に好ましい。
本発明には、さらに（Ｃ成分）として、両性界面活性剤を配合することにより、泡立ち速度と泡量という起泡力の改善効果が得られる。
本発明における（Ｃ成分）の両性界面活性剤は、特に制限はなく、アミドベタイン型、アミドスルホベタイン型、酢酸ベタイン型、スルホベタイン型、イミダゾリン型等が挙げられる。アミドベタイン型としては、具体的には、ラウリン酸アミドプロピルベタイン、ヤシ油脂肪酸アミドプロピルベタイン、ミリスチン酸アミドプロピルベタイン、パーム脂肪酸アミドプロピルベタイン等が挙げられる。アミドスルホベタイン型としては、具体的には、ラウリン酸アミドプロピルヒドロキシスルホベタイン等が挙げられる。酢酸ベタイン型としては、具体的に、ラウリルジメチルアミノ酢酸ベタイン、ステアリルジメチルアミノ酢酸ベタイン等が挙げられる。スルホベタイン型としては、具体的に、ラウリルジメチルアミノプロピルヒドロキシスルホベタイン等が挙げられる。イミダゾリン型としては、具体的には、２−アルキル−Ｎ−カルボキシメチル−Ｎ−ヒドロキシエチルイミダゾリニウムベタイン、Ｎ−ヤシ油脂肪酸−Ｎ−カルボキシエチル−Ｎ−ヒドロキシエチルエチレンジアミンナトリウム、Ｎ−ヤシ油脂肪酸−Ｎ−カルボキシメトキシエチル−Ｎ−カルボキシメチルエチレンジアミン二ナトリウム、Ｎ−ヤシ油脂肪酸−Ｎ−カルボキシエトキシエチル−Ｎ−カルボキシエチルエチレンジアミン二ナトリウム、２−ラウリル−Ｎ−カルボキシメチル−Ｎ−ヒドロキシエチルイミダゾリニウムベタイン、２−ミリスチル−Ｎ−カルボキシメチル−Ｎ−ヒドロキシエチルイミダゾリニウムベタイン、２−パルミチル−Ｎ−カルボキシメチル−Ｎ−ヒドロキシエチルイミダゾリニウムベタイン、２−ステアリル−Ｎ−カルボキシメチル−Ｎ−ヒドロキシエチルイミダゾリニウムベタイン等が挙げられる。これらは単独で使用しても良く、または２種以上を混合して使用しても良い。特に低刺激性であり、良好な泡立ち、皮膚感触を付与する観点で、ラウリン酸アミドプロピルベタイン、ヤシ油脂肪酸アミドプロピルベタイン、ラウリン酸アミドプロピルヒドロキシスルホベタイン、２−アルキル−Ｎ−カルボキシメチル−Ｎ−ヒドロキシエチルイミダゾリニウムベタイン、Ｎ−ヤシ油脂肪酸−Ｎ−カルボキシエチル−Ｎ−ヒドロキシエチルエチレンジアミンナトリウム、Ｎ−ヤシ油脂肪酸−Ｎ−カルボキシメトキシエチル−Ｎ−カルボキシメチルエチレンジアミン二ナトリウム、が好ましく、ラウリン酸アミドプロピルベタイン、ヤシ油脂肪酸アミドプロピルベタイン、２−アルキル−Ｎ−カルボキシメチル−Ｎ−ヒドロキシエチルイミダゾリニウムベタイン、Ｎ−ヤシ油脂肪酸−Ｎ−カルボキシエチル−Ｎ−ヒドロキシエチルエチレンジアミンナトリウムが更に好ましく、ヤシ油脂肪酸アミドプロピルベタイン、２−アルキル−Ｎ−カルボキシメチル−Ｎ−ヒドロキシエチルイミダゾリニウムベタインが特に好ましい。
本発明における（Ｃ成分）の配合量は、目的とする製品によって適宜決定され、本発明の効果を発揮しうる限り特に限定されるものではないが、重量比でＡ／Ｃは３００／１〜１／３０の範囲で選ばれることが好ましい。３００／１より多いと、良好な泡立ち、泡の感触等の効果が薄れる場合もあり、１／３０より少ないと、洗浄剤組成物の過度な増粘によるハンドリング性の低下や、洗浄時に肌がぬるつく等の感触面にも支障をきたす場合もある。扱いやすい洗浄剤組成物粘度を得るため、また、ぬるつき無く良好な泡立ち、泡の感触等の効果を得る観点で、１００／１〜１／１０がより好ましく、１０／１〜１／５が更に好ましく、３／１〜１／３が特に好ましい。
本発明の洗浄剤組成物は、その剤型には特別の制限がなく、目的とする製品によって適宜決定される。例えば、乳化系、溶液系、可溶化系、粉末分散系、ゲル系、スプレー系、水−油二層系、水−油−粉末三層系、等が選ばれる。
本発明の洗浄剤組成物は、ｐＨ２の弱酸性からｐＨ１０の弱アルカリまでの広範囲に調製して使用できる。皮膚や眼、毛髪などへの刺激を低減でき、使用性に適した粘度と優れた泡の感触が得られるという観点から、ｐＨ３〜９の範囲が好ましく、ｐＨ４〜８の範囲が更に好ましく、ｐＨ５〜７が特に好ましい。
本発明の洗浄剤組成物には、本発明の効果を阻害しない範囲で、通常使用される各種添加物を任意の成分として添加することができる。例としては、界面活性剤、湿潤剤、シリコーン化合物、高分子物質（高分子化合物）、アルコール類、紫外線吸収剤、色素、顔料、ビタミン、酸化防止剤、金属イオン封鎖剤、防腐剤、殺菌剤、ｐＨ調整剤、パール化剤、核酸、酵素、天然抽出物等の化粧品原料基準、化粧品種別配合成分規格、医薬部外品原料規格、日本薬局方、食品添加物公定書記載の原料等が挙げられる。
本発明の洗浄剤組成物は、洗顔フォーム、洗顔パウダー、洗顔ジェル、固形石鹸、粉末石鹸、メイククレンジング、ボディーシャンプー、シャワージェル、ヘアシャンプー、育毛シャンプー、フケ用シャンプー、リンスインシャンプー、ペット用シャンプー、ニキビ予防剤等に用いることができる。
【実施例】
【０００７】
以下、実施例により本発明を更に説明するが、本発明はこれらの実施例に限定されるものではない。
表１に示す各例の洗浄剤組成物を調製し、専門パネラー５名により洗浄剤組成物０．５ｇを手にとり、約３０℃の水道水で手洗いを行い、泡立ちの速さ・量・質・感触、すすぎ時の皮膚感触、乾燥後のしっとり感・きしみ感について官能評価を実施した。
官能評価は、比較例１を標準品とし、下に示す基準による平均値を算出した平均値が５．０〜４．１の場合を非常に良好（◎）、４．０〜３．１の場合を良好（○）、３．０〜２．１の場合を普通（△）、２．０以下の場合を不良（×）と判定した。
＜評価基準＞
（ａ）泡立ち速度
５：標準品より泡立ちが速い
４：標準品よりやや泡立ちが速い
３：標準品と同等
２：標準品よりやや泡立ちが遅い
１：標準品より泡立ちが遅い
（ｂ）泡量
５：標準品より泡立ちが多い
４：標準品よりやや泡立ちが多い
３：標準品と同等
２：標準品よりやや泡立ちが少ない
１：標準品より泡立ちが少ない
（ｃ）泡のキメ細かさ
５：標準品よりキメ細かい
４：標準品よりややキメ細かい
３：標準品と同等
２：標準品よりやや粗い
１：標準品より粗い
（ｄ）すすぎ時のひっかかり感
５：標準品よりひっかからない
４：標準品よりややひっかからない
３：標準品と同等
２：標準品よりややひっかかる
１：標準品よりひっかかる
（ｅ）すすぎ時のツルツル感
５：標準品よりツルツルする
４：標準品よりややツルツルする
３：標準品と同等
２：標準品よりややツルツルしない
１：標準品よりツルツルしない
（ｆ）乾燥後のしっとり感
５：標準品よりしっとりする
４：標準品よりややしっとりする３：標準品と同等
２：標準品よりややしっとりしない
１：標準品よりしっとりしない（ｇ）乾燥後のきしみ感
５：標準品よりきしまない
４：標準品よりややきしまない
３：標準品と同等
２：標準品よりややきしむ
１：標準品よりきしむ
結果を以下の表に示す。
【表１】
2006093311.tif 000002
以上、表１から明らかなようにすなわち、Ｎ−長鎖アシルアミノ酸及び／又はその塩（Ａ成分）から選ばれる１種以上と、水溶性有機酸亜鉛塩（Ｂ成分）から選ばれる１種以上を含有した洗浄組成物は、泡立ち速度に優れ、良好な泡質で、更に、すすぎ時のひっかかり感の無さとツルツル感を併せ持ち、なおかつ乾燥後のしっとり感を有することが実証された。
次に、前述記載の実施例と同様に、表２に示す各例の洗浄剤組成物を調製し、専門パネラー５名により評価を行った。
結果を以下の表に示す。
【表２】
2006093311.tif 000003
以上、表２から明らかなようにすなわち、Ｎ−長鎖アシルアミノ酸及び／又はその塩（Ａ成分）から選ばれる１種以上と、水溶性有機酸亜鉛塩（Ｂ成分）から選ばれる１種以上と、両性界面活性剤（Ｃ成分）から選ばれる１種以上を含有した洗浄組成物は、泡立ち速度と泡量が特に優れ、すすぎ時のひっかかり感の無さとツルツル感を併せ持ち、なおかつ乾燥後のしっとり感を有することが実証された。更に、前述３成分系は、（Ａ成分）と（Ｂ成分）の組合せ、および、（Ａ成分）と（Ｃ成分）の組合せより優れる評価結果であることが分かった。
〔洗顔フォーム処方例〕
ココイルグリシンナトリウム  （成分Ａ）                          １５．０重量％
ヤシ油脂肪酸ジエタノールアミド                                    ４．０
ポリオキシエチレン牛脂アルキルヒドロキシミリスチレンエーテル      ２．５
２−アルキル−Ｎ−カルボキシメチル−Ｎ−                        １０．０
ヒドロキシメチルイミダゾリウムベタイン  （成分Ｃ）
クエン酸                                                          １．５
ピロリドンカルボン酸亜鉛  （成分Ｂ）                              ０．５
精製水                                                          ６６．５
この洗顔フォームは泡立ち速度が速く、すすぎ時にひっかかり感が無く、ツルツルし、なおかつ乾燥後にしっとりした使用感であった。
〔シャンプー処方例〕
ココイルアラニントリエタノールアミン                （成分Ａ）    ４．０重量％
ＰＯＥ（３）ラウリルエーテル硫酸トリエタノールアミン              ４．０
ヤシ油脂肪酸アミドプロピルベタイン              （成分Ｃ）        ７．５
１，３−ブチレングリコール                                        ３．０
塩化ジメチルジアリルアンモニウム・アクリルアミド共重合体          ０．２
エチレングリコールジステアレート                                  ２．０
ジステアリン酸ポリエチレングリコール                              ２．０
ピロリドンカルボン酸亜鉛  （成分Ｂ）                              １．５
精製水                                                          ７５．８
このシャンプーは泡立ちが速く、豊かな泡立ちで、乾燥後しっとりまとまる使用感であった。
〔洗顔パウダー処方例〕
ココイルグリシンナトリウム  （成分Ａ）                          １０．０重量％
ラウロイルグルタミン酸ナトリウム  （成分Ａ）                      ８．０
ミリストイルグルタミン酸ナトリウム（成分Ａ）                      ５．５
ピロリドンカルボン酸亜鉛  （成分Ｂ）                              １．０
マンニトール                                                    ３０．０
コーンスターチ                                                  ２０．０
グルコース                                                      ２０．０
タルク                                                            ４．５
アラントイン                                                      ０．１
ラウロイルリシン                                                  ０．２
結晶セルロース                                                    ０．１
グリシン                                                          ０．２
デキストリン                                                      ０．１
セリン                                                            ０．３
この洗顔パウダーは泡立ちが速く、豊かな泡立ちで、乾燥後しっとりとした使用感であった。
〔固形石鹸処方例〕
ココイルグリシンナトリウム  （成分Ａ）                          １０．０重量％
パーム脂肪酸アシルグルタミン酸ナトリウム  （成分Ａ）              ５．０
石鹸素地                                                        ７７．０
ヤシ油脂肪酸アミドプロピルベタイン  （成分Ｃ）                    ３．０
クエン酸                                                          ０．１
ピロリドンカルボン酸亜鉛  （成分Ｂ）                              ０．５
グリチルリチン酸ジカリウム                                        ０．１
トコフェロール                                                    ０．１
カオリン                                                          ３．０
グリセリン                                                        １．０
酸価チタン                                                        ０．２
この固形石鹸は泡立ちが速く、豊かな泡立ちで、乾燥後しっとりとした使用感であった。
【産業上の利用可能性】
【０００８】
本発明の洗浄剤組成物は、Ｎ−長鎖アシルアミノ酸及び／又はその塩のマイルド性を維持しつつ、泡立ち速度に優れ、すすぎ時のひっかかり感の無さとツルツル感を併せ持ち、なおかつ乾燥後のしっとり感を有しているので、洗顔フォーム、洗顔パウダー、洗顔ジェル、固形石鹸、粉末石鹸、メイククレンジング、ボディーシャンプー、シャワージェル、ヘアシャンプー、育毛シャンプー、フケ用シャンプー、リンスインシャンプー、ペット用シャンプー、ニキビ予防剤等の各種洗浄剤組成物に使用することができ、産業上大変有用である。
【国際調査報告】
2006093311.tif 000004
2006093311.tif 000005
2006093311.tif 000006
2006093311.tif 000007